(57)【要約】【課題】上下をパネルもしくはパネルとチャンネルベース等で挟まれた機器取付パネルを容易にかつ安全に着脱する。【解決手段】電気・電子機器や通信機器等が取り付けられる前面板１とこの前面板１を囲う断面コ字状の左側壁２および断面コ字状の右側壁３と上側壁４、下側壁５とからなる金属板でできた箱形状のパネルＡを複数個上下方向に積み重ねてこの左側壁２および右側壁３を固定用部材１４に着脱自在に取り付ける機器取付パネルＡにおいて、左側壁２および右側壁３の隅部６に開口部７を形成するとともにその開口部７において上側壁４および下側壁５の少なくとも一方を前面板１方向に折り曲げて直線状の縁部８を形成してパネルを着脱する際、パネル隅部６に設けた開口部７に指を入れ、手前に引くことで容易に着脱可能となる。【選択図】  図１
2009065007.tif 000002
【特許請求の範囲】
【請求項１】
電気・電子機器や通信機器等が取り付けられる前面板とこの前面板を囲う断面コ字状の左側壁および断面コ字状の右側壁と上側壁、下側壁とからなる金属板でできた箱形状のパネルを複数個上下方向に積み重ねてこの左側壁および右側壁を固定用部材に着脱自在に取り付ける機器取付パネルにおいて、左側壁および右側壁の隅部に開口部を形成するとともにその開口部において上側壁および下側壁の少なくとも一方を前面板の方向に折り曲げて直線状の縁部を形成したことを特徴とする機器取付パネル。
【請求項２】
前記断面コ字状の左側壁および断面コ字状の右側壁において、前面板と平行を形成している面にボルト穴を設け、さらに断面コ字状の左側壁および断面コ字状の右側壁において、前面板と平行を形成している面の下端部に切り欠き穴を形成したことを特徴とする請求項1記載の機器取付パネル。
【発明の詳細な説明】
【技術分野】
【０００１】
電気・電子機器や通信機器等が取り付けられる箱形状にしたパネルを複数個上下方向に積み重ねた機器取付パネルに関する。
【背景技術】
【０００２】
従来、箱形状にしたパネルを複数個上下方向に積み重ねた機器取付パネルにあっては、機器の仕様変更や機器の老朽化により、機器が取り付けられたパネルを交換する必要があり、その際、機器取付パネルを上から順に取り外していた。
【０００３】
図６に示すように、電気・電子機器や通信機器等が取り付けられる前面板１とこの前面板１を囲う断面コ字状の左側壁２および断面コ字状の右側壁３と上側壁４、下側壁５と断面コ字状の左側壁および断面コ字状の右側壁において、前面板と平行を形成している面９に形成されたボルト穴１０とからなる金属板で構成されている。
【発明の開示】
【発明が解決しようとする課題】
【０００４】
しかしながら、機器取付パネルを上下に積み重ねた状態で、上下位置の機器取付パネルが取り付いた状態で中間位置の機器取付パネルのみを取り外す際、機器取付パネル同士が干渉して、前方に引き出す抵抗が大きくなり、取り外すパネルのみの螺着を緩めるだけでは取り外すことが困難で、機器取付パネル交換の作業性が悪いなどの問題がある。
【０００５】
また、機器取付パネルを固定する際、機器取付パネル取付位置に仮設置してからビス等により少なくとも４箇所固定していたが、一箇所仮固定するまで仮設置した機器取付パネルを支えておく作業が生じ、作業性が悪いなどの問題がある。
【０００６】
本発明は上記問題点を解消し、取り外す機器取付パネルのみの螺着を緩めるだけで機器取付パネル交換を可能としたことにより機器取付パネル交換の作業性を向上させたことと、機器取付パネルを固定用部材に取り付ける際、仮設置した後に一箇所仮固定するまで機器取付パネルを支え続けることなく取り付け可能としたことにより、取り付けの作業性を向上させた機器取付パネルを提供することを目的とする。
【課題を解決するための手段】
【０００７】
そこで本発明は、電気・電子機器や通信機器等が取り付けられる前面板とこの前面板を囲う断面コ字状の左側壁および断面コ字状の右側壁と上側壁、下側壁とからなる金属板でできた箱形状の機器取付パネルを複数個上下方向に積み重ねて、この左側壁および右側壁を固定用部材に着脱自在に取り付ける機器取付パネルにおいて、左側壁および右側壁の隅部に開口部を形成するとともに、その開口部において上側壁および下側壁の少なくとも一方を前面板の方向に折り曲げて直線状の縁部を形成したことを特徴とする。
【０００８】
また、前記断面コ字状の左側壁および断面コ字状の右側壁において、前面板と平行を形成している面にボルト穴を設け、さらに断面コ字状の左側壁および断面コ字状の右側壁において、前面板と平行を形成している面の下端部に切り欠き穴を形成させたことを特徴とする。
【発明の効果】
【０００９】
本発明の機器取付パネルは、複数個上下方向に積み重ねてこの機器取付パネルの左側壁および右側壁を固定用部材に取り付けた状態で中間位置の機器取付パネルのみを取り外す際、取り外す機器取付パネルのみの螺着を緩めるだけで機器取付パネル交換を可能としたことによる機器取付パネルの着脱を容易にしたことと、機器取付パネルの交換作業時間短縮の効果がある。
【００１０】
第１の発明は、電気・電子機器や通信機器等が取り付けられる前面板とこの前面板を囲う断面コ字状の左側壁および断面コ字状の右側壁と上側壁、下側壁とからなる金属板でできた箱形状のパネルを複数個上下方向に積み重ねてこの左側壁および右側壁を固定用部材に着脱自在に取り付ける機器取付パネルにおいて、左側壁および右側壁の隅部に開口部を形成するとともにその開口部において上側壁および下側壁の少なくとも一方を前面板の方向に折り曲げて直線状の縁部を形成したことより取り外す機器取付パネルのみの螺着を緩めるだけで機器取付パネル交換可能となり容易に着脱することができ、機器取付パネルの交換作業時間の短縮もできる。
【００１１】
第２の発明は、特に、第１の発明の機器取付パネルにおける断面コ字状の左側壁および断面コ字状の右側壁において、前面板と平行を形成している面にボルト穴を設け、さらに断面コ字状の左側壁および断面コ字状の右側壁において、前面板と平行を形成している面の下端部に切り欠き穴を形成させたことにより、機器取付パネルを固定用部材に螺着する際、機器取付パネルの切り欠き穴をあらかじめ固定用部材のボルト穴にボルトおよびナットを仮締めしたものに通してから締め付け、固定することで仮設置した後に一箇所仮固定するまで機器取付パネルを支え続けることなく固定可能となり、機器取付パネル取付の作業性を向上させることができる。
【発明を実施するための最良の形態】
【００１２】
以下、本発明の実施の形態を図に基づいて説明する。なお、この実施の形態によって本発明が限定されるわけではない。
（実施の形態１）
【００１３】
図１は、本発明の第１の実施の形態における受電盤・配電盤を形成させた機器取付パネルの組立図を示すもので、図２は電気・電子機器や通信機器等を取り付ける金属板でできた箱形状のパネルＡ下部構造隅部の拡大図を示すもので、図３は電気・電子機器や通信機器等を取り付ける金属板でできた箱形状のパネルＡの背面側の斜視図を示すものである。
【００１４】
図１において、受電盤・配電盤の本体は、チャンネルベース１６に固定用部材１４を螺着させ、その固定用部材１４に電気・電子機器や通信機器等が取り付けられる金属板でできた箱形状のパネルＡを螺着させ、この機器取付パネルは複数個上下方向に積み重ねた状態で構成される。
【００１５】
この機器取付パネルＡは、図３に示す通り電気・電子機器や通信機器等が取り付けられる前面板１とこの前面板１を囲う断面コ字状の左側壁２および断面コ字状の右側壁３と上側壁４、下側壁５とからなる。
【００１６】
さらに左側壁４および右側壁５の下側隅部６に開口部７を形成するとともに、その開口部７において下側壁５を前面板１方向に折り曲げて直線状の縁部８を形成している。
【００１７】
以上のように構成された機器取付パネルにおいて、以下その動作、作用を説明する。
【００１８】
まず、改修等で機器の仕様変更や機器の老朽化により、機器が取り付けられたパネルを交換する必要が生じた際に、上下を機器取付パネルＡもしくは機器取付パネルＡとチャンネルベース１６で挟まれた機器取付パネルＡを取り外す場合、取り外す機器取付パネルＡに取り付けられた機器配線を取り外し、機器取付パネルＡを螺着しているボルトを取り外した後、機器取付パネルＡ正面より取り外す機器取付パネルＡの左側壁２および右側壁３の隅部６に形成した開口部７に指を入れ、取り外す機器取付パネルＡを持ち、手前側に引き出してパネルを取り外す。
【００１９】
以上のように、本実施の形態においては、機器取付パネルＡの左側壁２および右側壁３の隅部６に開口部７を形成するとともに、その開口部７において下側壁５を前面板１方向に折り曲げて直線状の縁部８を形成することにより、機器取付パネルＡを上下に積み重ねた状態で、上下を機器取付パネルＡもしくは機器取付パネルＡとチャンネルベース１６で挟まれた機器取付パネルを取り外す際、機器取付パネル同士が干渉せず、容易に機器取付パネルＡを着脱させることができる。
【００２０】
また、本実施の形態において、図１に示したように左側壁２および右側壁３の下側壁５側の隅部６に開口部７を形成し、その開口部７において下側壁５を前面板１の方向に折り曲げて直線状の縁部８を形成することで、機器取付パネルＡを着脱する際に、螺着を緩め機器取付パネルＡの開口部７に指を入れた状態で、予想しないパネルの脱落が起こっても下段パネルＡとの間で指が挟まることを防止することができ、安全にパネル着脱作業ができる。
（実施の形態２）
【００２１】
図４は、本発明の第２の実施の形態の機器取付パネルＡの背面図およびそのパネルと固定用部材１４との取付図を示し、図５は機器取付パネルＡにおける断面コ字状の左側壁２および断面コ字状の右側壁３において、前面板１と平行を形成している固定用部材１４との接触面９の下端部１７の拡大図を示したものである。
【００２２】
図４において、前記実施の形態１に記した機器取付パネルＡにおける断面コ字状の左側壁２および断面コ字状の右側壁３において、前面板１と平行を形成している固定用部材１４との接触面９にボルト穴１０を設け、さらに断面コ字状の左側壁２および断面コ字状の右側壁３において、前面板１と平行を形成している固定用部材１４との接触面９の下端部１７に切り欠き穴１１を形成している。
【００２３】
以上のように構成された機器取付パネルにおいて、以下その動作、作用を説明する。
【００２４】
まず、機器取付パネルＡを固定用部材１４にボルト等で取着する際に、図４に示すようにあらかじめ固定用部材１４のボルト穴１５にボルト１２およびナット１３を仮締めしたものに機器取付パネルＡの切り欠き穴１１を通してから締め付けを行い、機器取付パネルＡを固定する。
【００２５】
以上のように、本実施の形態においては、前記実施の形態１に記した機器取付パネルＡの左側壁２および右側壁３において、前面板１と平行を形成している固定用部材１４との接触面９にボルト穴１０を設け、さらに断面コ字状の左側壁２および断面コ字状の右側壁３において、前面板１と平行を形成している固定用部材１４との接触面９の下端部１７に切り欠き穴１１を形成させることであらかじめ固定用部材１４のボルト穴１５にボルト１２およびナット１３を仮締めしたものに機器取付パネルＡの切り欠き穴１１を通すことで機器取付パネルＡを仮固定することができるため、仮設置した機器取付パネルＡを一箇所仮固定するまで支え続けることなく固定することが可能となり、作業性を向上させることができる。
【図面の簡単な説明】
【００２６】
【図１】本発明の実施の形態１における機器取付パネルの組立図である。
【図２】図１に示す隅部の拡大図である。
【図３】本発明の実施の形態１における機器取付パネル背面側の斜視図である。
【図４】本発明の実施の形態２における機器取付パネルの背面図およびそのパネルと背面側固定部材とを取着する説明図である。
【図５】図４にしめす機器取付パネルの下端部の拡大図である。
【図６】従来の機器取付パネル斜視図である。
【符号の説明】
【００２７】
Ａ    金属板でできた箱形状のパネル
１    電気・電子機器や通信機器等が取り付けられる前面板
２    断面コ字状の左側壁
３    断面コ字状の右側壁
４    上側壁
５    下側壁
６    隅部
７    開口部
８    直線状の縁部
９    接触面
１０  パネルのボルト穴
１１  切り欠き穴
１２  ボルト
１３  ナット
１４  固定用部材
１５  固定用部材のボルト穴
１６  チャンネルベース
１７  下端部
【図１】
2009065007.tif 000003
【図２】
2009065007.tif 000004
【図３】
2009065007.tif 000005
【図４】
2009065007.tif 000006
【図５】
2009065007.tif 000007
【図６】
2009065007.tif 000008